(57)【要約】【課題】複数のセグメントを有するネットワーク下において、新たな移動体を追加したり、セグメントを跨いで移動体を移動させる際のネットワーク設定の作業を簡易化し、作業効率を向上させる。【解決手段】セグメント２ａ〜２ｎのいずれかで移動体が使用されるネットワーク下において、移動体を通信可能なようにネットワーク設定するネットワーク設定システムであって、セグメント２ａ〜２ｎと関連づけてネットワーク設定情報を記録した管理データ３１を有する共通サーバ３を備え、共通サーバ３は、新たな移動体が追加されるときに、新たな移動体のネットワーク設定情報をその移動体の配置先のセグメントと関連づけて管理データ３１に追加し、新たな移動体は、配置先のセグメント内に配置されたときに、ネットワーク情報が追加された管理データ３１を共通サーバ３から取得し、取得した該管理データに基づいて自身のネットワーク設定を行う。【選択図】図１
2009284239.tif 000002
【特許請求の範囲】
【請求項１】
互いに異なる複数のセグメントを有し、該セグメントのいずれかで通信機能を有する移動体が使用されるネットワーク下において、該移動体を通信可能なようにネットワーク設定するネットワーク設定システムであって、
前記複数のセグメントを通じて共通に設けられ、前記セグメントの各々と関連づけてネットワーク設定情報を記録した管理データを有する共通サーバを備え、
前記共通サーバは、新たな移動体が追加されるときに、該新たな移動体のネットワーク設定情報を該新たな移動体の配置先のセグメントと関連づけて前記管理データに追加し、
前記新たな移動体は、配置先のセグメント内に配置されたときに、ネットワーク情報が追加された前記管理データを前記共通サーバから取得し、取得した該管理データに基づいて自身のネットワーク設定を行うことを特徴とするネットワーク設定システム。
【請求項２】
前記共通サーバは、移動体が前記複数のセグメント間を移動するときに、移動する移動体のネットワーク設定情報を移動先のセグメントと関連づけて前記管理データに追加し、
前記移動する移動体は、移動先のセグメント内に配置されたときに、ネットワーク設定情報が追加された前記管理データを前記共通サーバから取得し、取得した該管理データに基づいて自身のネットワーク設定を変更することを特徴とする請求項１に記載のネットワーク設定システム。
【請求項３】
前記移動体は、前記配置先又は前記移動先のセグメント内に配置されたときに、前記ネットワーク情報が追加された前記管理データのうち、前記配置先又は前記移動先のセグメントに関するネットワーク設定情報のみを選択的に取得することを特徴とする請求項１又は２に記載のネットワーク設定システム。
【請求項４】
前記移動体は、前記配置先又は前記移動先のセグメント内に配置されたときに、前記ネットワーク情報が追加された前記管理データを取得することにより、前記配置先又は前記移動先のセグメントに関するネットワーク設定情報と、他のセグメントに関するネットワーク設定情報とを取得することを特徴とする請求項１又は２に記載のネットワーク設定システム。
【請求項５】
前記共通サーバは、前記移動体が使用するＩＰアドレスに関して、常用的に使用するＩＰアドレスとは別個に一時的に使用する初期ＩＰアドレスを前記セグメント毎に準備し、
前記移動体は、前記セグメント毎の初期ＩＰアドレスを予め記憶し、前記配置先又は前記移動先のセグメント内に配置されたときに、前記配置先又は前記移動先のセグメントに対応する前記初期ＩＰアドレスを用いて通信処理を実行し、前記管理データを取得することを特徴とする請求項１乃至４のいずれかに記載のネットワーク設定システム。
【請求項６】
前記移動体は、ネットワーク設定を実行する設定ツールを内蔵し、前記配置先又は前記移動先のセグメント内に配置されたときに、前記設定ツールを起動してネットワーク設定を行うことを特徴とする請求項１乃至５のいずれかに記載のネットワーク設定システム。
【請求項７】
前記移動体は、前記複数のセグメントの各々に配置されるエリアサーバを通じて前記管理データを取得することを特徴とする請求項１乃至６のいずれかに記載のネットワーク設定システム。
【請求項８】
互いに異なる複数のセグメントを有し、該セグメントのいずれかで通信機能を有する移動体が使用されるネットワーク構成において、前記複数のセグメントを通じて共通に設けられる共通サーバを設置し、該共通サーバを通じて前記移動体を通信可能なようにネットワーク設定するネットワーク設定方法であって、
前記共通サーバが、管理データとして、前記セグメントの各々と関連づけたネットワーク設定情報を記録するとともに、新たな移動体が追加されるときに、該新たな移動体のネットワーク設定情報を該新たな移動体の配置先のセグメントと関連づけて前記管理データに追加し、
前記移動体が、配置先のセグメント内に配置されたときに、ネットワーク情報が追加された前記管理データを前記共通サーバから取得し、取得した該管理データに基づいて自身のネットワーク設定を行うことを特徴とするネットワーク設定方法。
【発明の詳細な説明】
【技術分野】
【０００１】
本発明は、ネットワーク設定システム及び設定方法に関し、特に、複数のセグメントを有するネットワーク下において、通信機能を有する移動体のネットワーク設定を行うネットワーク設定システム等に関する。
【背景技術】
【０００２】
従来、サーバ・クライアントシステムにおいて、新たなクライアント端末を導入する場合には、そのＩＰアドレスやコンピュータ名を手作業によって入力し、ネットワーク設定を行う必要があった。しかし、クライアント端末の数が多くなると、作業負担が大きくなり、また、設定ミスが発生する危険性も増大する。
【０００３】
そこで、例えば、特許文献１には、通信機能を有する移動体（クライアント端末）を新たにネットワーク内に導入した際に、その移動体とサーバの間で通信し、ネットワーク設定を自動的に行うサーバ・クライアントシステムが提案されている。
【０００４】
上記システムでは、サーバにおいて、予め複数のＩＰ(Internet Protocol)アドレスを準備し、いずれも未使用のＩＰアドレスとして確保しておく。その際、各ＩＰアドレスにおいて、ネットワークアドレスには、サーバが属するネットワークの識別番号を共通に設定し（例えば、「192.168.0」）、ホストアドレスには、任意の識別番号（例えば、「100」、「101」、「102」、…）を設定する。
【０００５】
そして、新たな移動体がネットワークに接続された場合には、準備したＩＰアドレスのうちから１つを取り出し（例えば、「192.168.0.100」）、接続された移動体に送信する。その後は、移動体において、受け取ったＩＰアドレスを自装置に設定し、また、サーバ側でも、その移動体のコンピュータ名と取り出したＩＰアドレスとを組にして登録し、ネットワーク設定を完了させる。
【０００６】
上記システムによれば、移動体の接続後、手作業による入力設定を行わなくとも、ネットワーク設定を行うことができるため、クライアント導入のための準備、手間を縮減し、システム運用の効率化を図ることが可能になる。
【０００７】
【特許文献１】特開２００２−３００１６６号公報
【発明の開示】
【発明が解決しようとする課題】
【０００８】
しかし、特許文献１に記載のシステムにおいては、確保するＩＰアドレスのネットワークアドレスに共通の識別番号を設定することから、ネットワークの自動設定を行うことができるのは、同一のセグメント（同じネットワークアドレスを用いるネットワーク）の範囲内に制限される。
【０００９】
このため、異なるセグメントが混在するネットワーク下において、新たな移動体を導入する場合には、従前と同様、手作業でネットワーク設定を行う必要が生じる。これらの作業は、一般のユーザにとって必ずしも容易なものではないため、移動体の使用準備が整うまでに相当の時間を費やす虞があり、作業効率の低下を招くという問題がある。
【００１０】
また、セグメントを跨いで移動体を移動させる場合、その移動体は、直前のセグメントを対象としたネットワーク設定がなされた状態で移動するため、移動後の作業エリアで使用するには、改めてネットワーク設定をやり直す必要が生じる。この場合も、上記と同様、手作業でネットワーク設定を行う必要があり、特に、複数のエリアを転々と移動しながら作業を行うユーザにあっては、煩雑な作業を繰り返し強いられるという問題がある。
【００１１】
そこで、本発明は、上記従来の技術における問題点に鑑みてなされたものであって、複数のセグメントを有するネットワーク下において、新たな移動体を追加したり、セグメントを跨いで移動体を移動させる際のネットワーク設定の作業を簡易化し、作業効率を向上させることが可能なネットワーク設定システム等を提供することを目的とする。
【課題を解決するための手段】
【００１２】
上記目的を達成するため、本発明は、互いに異なる複数のセグメントを有し、該セグメントのいずれかで通信機能を有する移動体が使用されるネットワーク下において、該移動体を通信可能なようにネットワーク設定するネットワーク設定システムであって、前記複数のセグメントを通じて共通に設けられ、前記セグメントの各々と関連づけてネットワーク設定情報を記録した管理データを有する共通サーバを備え、前記共通サーバは、新たな移動体が追加されるときに、該新たな移動体のネットワーク設定情報を該新たな移動体の配置先のセグメントと関連づけて前記管理データに追加し、前記新たな移動体は、配置先のセグメント内に配置されたときに、ネットワーク情報が追加された前記管理データを前記共通サーバから取得し、取得した該管理データに基づいて自身のネットワーク設定を行うことを特徴とする。
【００１３】
そして、本発明によれば、移動体のユーザは、移動体を追加する際に、自らが手作業でネットワーク設定を行わなくても、ネットワーク設定を済ませることができる。従って、複数のセグメントを有するネットワーク下であっても、移動体を追加した際のネットワーク設定の作業を簡易化することができ、作業効率を向上させることが可能になる。
【００１４】
上記ネットワーク設定システムにおいて、前記共通サーバが、移動体が前記複数のセグメント間を移動するときに、移動する移動体のネットワーク設定情報を移動先のセグメントと関連づけて前記管理データに追加し、前記移動する移動体が、移動先のセグメント内に配置されたときに、ネットワーク設定情報が追加された前記管理データを前記共通サーバから取得し、取得した該管理データに基づいて自身のネットワーク設定を変更することができる。
【００１５】
上記構成によれば、移動体を移動させる際、ユーザが手作業でネットワーク設定を行わなくても、ネットワーク設定を行うことができるため、移動体の移動時のネットワーク設定の変更作業を簡易化することができ、作業効率を向上させることが可能になる。
【００１６】
上記ネットワーク設定システムにおいて、前記移動体が、前記配置先又は前記移動先のセグメント内に配置されたときに、前記ネットワーク情報が追加された前記管理データのうち、前記配置先又は前記移動先のセグメントに関するネットワーク設定情報のみを選択的に取得することができる。
【００１７】
上記ネットワーク設定システムにおいて、前記移動体が、前記配置先又は前記移動先のセグメント内に配置されたときに、前記ネットワーク情報が追加された前記管理データを取得することにより、前記配置先又は前記移動先のセグメントに関するネットワーク設定情報と、他のセグメントに関するネットワーク設定情報とを取得することができる。
【００１８】
上記ネットワーク設定システムにおいて、前記共通サーバが、前記移動体が使用するＩＰアドレスに関して、常用的に使用するＩＰアドレスとは別個に一時的に使用する初期ＩＰアドレスを前記セグメント毎に準備し、前記移動体が、前記セグメント毎の初期ＩＰアドレスを予め記憶し、前記配置先又は前記移動先のセグメント内に配置されたときに、前記配置先又は前記移動先のセグメントに対応する前記初期ＩＰアドレスを用いて通信処理を実行し、前記管理データを取得することができる。
【００１９】
上記ネットワーク設定システムにおいて、前記移動体が、ネットワーク設定を実行する設定ツールを内蔵し、前記配置先又は前記移動先のセグメント内に配置されたときに、前記設定ツールを起動してネットワーク設定を行うことができる。
【００２０】
上記ネットワーク設定システムにおいて、前記移動体が、前記複数のセグメントの各々に配置されるエリアサーバを通じて前記管理データを取得することができる。
【００２１】
また、本発明は、互いに異なる複数のセグメントを有し、該セグメントのいずれかで通信機能を有する移動体が使用されるネットワーク構成において、前記複数のセグメントを通じて共通に設けられる共通サーバを設置し、該共通サーバを通じて前記移動体を通信可能なようにネットワーク設定するネットワーク設定方法であって、前記共通サーバが、管理データとして、前記セグメントの各々と関連づけたネットワーク設定情報を記録するとともに、新たな移動体が追加されるときに、該新たな移動体のネットワーク設定情報を該新たな移動体の配置先のセグメントと関連づけて前記管理データに追加し、前記移動体が、配置先のセグメント内に配置されたときに、ネットワーク情報が追加された前記管理データを前記共通サーバから取得し、取得した該管理データに基づいて自身のネットワーク設定を行うことを特徴とする。
【００２２】
本発明によれば、前記発明と同様に、複数のセグメントを有するネットワーク下であっても、移動体を追加した際のネットワーク設定の作業を簡易化することができ、作業効率を向上させることが可能になる。
【発明の効果】
【００２３】
以上のように、本発明によれば、複数のセグメントを有するネットワーク下において、新たな移動体を追加したり、セグメントを跨いで移動体を移動させる際のネットワーク設定の作業を簡易化し、作業効率を向上させることが可能になる。
【発明を実施するための最良の形態】
【００２４】
次に、本発明の実施の形態について図面を参照して詳細に説明する。
【００２５】
図１は、本発明に係るネットワーク設定システムを適用したネットワーク構成の一例を示す全体構成図であり、該ネットワークは、互いに異なる複数のセグメント２ａ〜２ｎと、全てのセグメント２ａ〜２ｎを通じて共通に設けられる単一の共通サーバ３とから構成される。
【００２６】
複数のセグメント２ａ〜２ｎは、各々でＬＡＮ（Local Area Network)を構成するものであり、各セグメント２ａ〜２ｎには、固有のＥＳＳ−ＩＤ(Extended Service Set Identifier)が付される。これらセグメント２ａ〜２ｎは、いずれも、後述する移動体２５−１〜２５−ｎｘの位置情報を処理するエリアサーバ（以下、「サーバ」という）２１ａ〜２１ｎと、データ通信を中継するルータ２２ａ〜２２ｎと、複数のＡＰ(Access Point)２３ａ〜２３ｎ、２４ａ〜２４ｎとによって構成される。
【００２７】
各セグメント２ａ〜２ｎの通信エリア（以下、適宜「作業エリア」という）には、通信機能を有する移動体（クライアント端末）２５−１〜２５−ｎｘが位置する。移動体２５−１〜２５−ｎｘは、例えば、荷物運搬車等であり、いずれも、図２に示すように、処理装置２６と車部２７等から構成される。尚、各移動体２５−１〜２５−ｎｘでの通信形式は、特に限定されるものではなく、有線通信及び無線通信のいずれであってもよい。
【００２８】
処理装置２６は、主として、位置検出処理や通信処理等の各種処理を実行するためのものである。このうち、位置検出処理は、運搬した荷物の位置や向きを検出するものであり、各移動体２５−１〜２５−ｎｘでは、それら検出した位置等の情報を荷物の運搬先の情報とともに記録する。一方、通信処理は、他の装置との間のデータ通信処理を行うものであり、処理装置２６には、移動体２５−１〜２５−ｎｘのネットワーク設定処理を実行するためのアプリケーションソフト（以下、「設定ツール」という）２７が組み込まれる。
【００２９】
また、処理装置２６内のメモリ（図示せず）には、予め、セグメント２ａ〜２ｎの作業エリア名と、各作業エリアで使用可能な初期ＩＰアドレスとが記録される。ここで、初期ＩＰアドレスは、新たな移動体を追加する際や移動体がセグメント間を移動する際に、一時的に使用するＩＰアドレスであり、セグメント２ａ〜２ｎ毎に１つずつ設定される。
【００３０】
一方、車部２７は、荷物を運搬するための車両である。尚、車部２７と処理装置２６は、分離することが可能であり、手で持ち運んだり、他の車部を利用するなどして処理装置２６のみを移動させることも可能である。
【００３１】
図１に戻り、共通サーバ３は、セグメント２ａ〜２ｎのネットワーク設定を管理するためのサーバであり、全ての作業エリアからアクセス可能なように構成される。共通サーバ３は、移動体２５−１〜２５−ｎｘに関するネットワーク設定情報を一元的に管理する管理データテーブル３１を有し、この管理データテーブル３１には、図３に示すように、作業エリア、移動体名、ＥＳＳ−ＩＤ、移動体ＩＰアドレス、サーバアドレス及び初期ＩＰアドレスからなる各種の識別情報が記録される。
【００３２】
このうち、移動体ＩＰアドレスは、移動体２５−１〜２５−ｎｘの各々に付与するＩＰアドレスであり、サーバアドレスは、各サーバ２１ａ〜２１ｎに付与するＩＰアドレスである。また、初期ＩＰアドレスは、移動体２５−１〜２５−ｎｘに登録される初期ＩＰアドレスと同一のものであり、一時的に使用するＩＰアドレスとして確保される。
【００３３】
尚、移動体ＩＰアドレス及び初期ＩＰアドレスは、いずれも、移動体２５−１〜２５−ｎｘに付与するものであるが、前者は、ネットワーク設定が終了した後の移動体で常用的に用いるものであるのに対し、後者は、移動体の追加時や移動時のみに限って使用するものである。このため、両者のＩＰアドレスを区別すべく、初期ＩＰアドレスのホストアドレスには、移動体ＩＰアドレスでは使用しない識別番号（図３では、「100」）が設定される。
【００３４】
次に、上記構成を有するネットワーク設定システムを用いて、移動体２５−１〜２５−ｎｘのネットワーク設定を行う方法について説明する。尚、移動体２５−１〜２５−ｎｘの配置や移動には、移動体自体を配置等する場合に限らず、移動体から処理装置２６を分離し、処理装置２６のみを配置等する場合もあるが、以下においては、それらを総称して移動体の配置、移動という。
【００３５】
ここでは、先ず、セグメント２ａの作業エリア内に新たな移動体Ｘを追加する場合について、図４及び図５を中心に参照しながら説明する。
【００３６】
移動体の追加にあたっては、先ず、共通サーバ３において、新たな移動体Ｘに割り当てる識別番号を決定する。この識別番号は、セグメント２ａ内での固有の番号とするのではなく、全てのセグメントを通じた固有の番号（全セグメントを通じて単一の番号）とする。ここでは、「050」が割り当てられたものとする。
【００３７】
次いで、決定した移動体番号「050」、セグメント２ａのネットワークアドレス（例えば、「190.168.001」）と関連づけて、移動体Ｘの移動体ＩＰアドレスを決定する（例えば、「192.168.001.050」）。その後、セグメント２ａのセグメント名、ＥＳＳ−ＩＤ、サーバアドレスとともに、決定した移動体番号及び移動体ＩＰアドレスを管理データテーブル３１に登録し、管理データテーブル３１内のネットワーク設定情報を更新する（図４(1)、図５の３１ａを参照）。
【００３８】
共通サーバ３側での登録処理が終了すると、移動体Ｘをセグメント２ａの作業エリア内に配置し（図４(2)）、移動体Ｘにおいて、設定ツール２７を起動する（図４(3)）。そして、移動体Ｘの表示部（図示せず）に使用エリアの選択画面を表示し、移動体Ｘのユーザに対して使用エリアの選択を促す。
【００３９】
その後、ユーザが、移動体Ｘの使用エリアとしてセグメント２ａの作業エリアを選択すると（図４(4)）、移動体Ｘにおいて、再起動処理を実行する。その際、移動体Ｘでは、自身に登録されている初期ＩＰアドレス等のうちから、セグメント２ａのＥＳＳ−ＩＤやセグメント２ａ用の初期ＩＰアドレス（例えば、「192.168.001.100」）を取り出し、それらをネットワーク設定の初期値に設定して起動する。
【００４０】
次いで、上記の初期ＩＰアドレス等を用い、セグメント２ａのルータ２２ａを経由して共通サーバ３にアクセスし、セグメント２ａに関するネットワーク設定情報を要求する（図４(5)）。これに応答して、共通サーバ３では、管理データテーブル３１からセグメント２ａに関するネットワーク設定情報（図５の３１ｂを参照）を読み出し、移動体Ｘに向けて送信する（図４(6)）。
【００４１】
移動体Ｘにおいて、ネットワーク設定情報のダウンロードが終了すると、ダウンロードしたネットワーク設定情報に基づいて、セグメント２ａで使用可能な移動体（図５に示す例では、移動体１〜３、５０）を表示部に表示し、ユーザに対して移動体の選択を促す。その後、ユーザが、表示された移動体のうちから移動体５０を選択すると、移動体Ｘにおいて、再び再起動処理を実行する（図４(7)）。
【００４２】
再起動の際、移動体Ｘでは、共通サーバ３からダウンロードしたネットワーク設定情報のうちからユーザが選択した移動体（移動体５０）に関するものを取り出し、そのネットワーク設定情報に基づいて自身のネットワーク設定を変更する。これにより、移動体Ｘ側のネットワーク設定が完了し、以後、セグメント２ａの作業エリアにおいて、移動体５０として通信処理が可能な状態となる（図４(8)）。
【００４３】
続いて、セグメント２ａの作業エリア内で使用していた移動体をセグメント２ｂの作業エリア内に移動する場合について、図５〜図７を中心に参照しながら説明する。ここでは、移動体２５−１（図５では、「移動体１」）を移動させる場合を例示する。
【００４４】
作業エリアの移動にあたっては、先ず、図６に示すように、共通サーバ３において、管理データテーブル３１にアクセスし、移動体１に関するネットワーク設定情報を書き換える（図６(1)）。その際、図７に示すように、移動体１のネットワーク設定情報をセグメント２ａの記憶領域からセグメント２ｂの記憶領域に移動させ、新たなネットワーク設定情報として追加する（図７の３１ｃ、３１ｄを参照）。
【００４５】
共通サーバ３側での登録処理が終了すると、図６に示すように、移動体２５−１をセグメント２ａの作業エリアからセグメント２ｂの作業エリア２ｂに移動させる（図６(2)）。尚、この時点での移動体２５−１のネットワーク設定は、セグメント２ａを対象とした状態が維持されている。
【００４６】
次いで、移動体２５−１において、設定ツール２７を起動し（図６(3)）、表示部に使用エリアの選択画面を表示してユーザに使用エリアの選択を促す。そして、ユーザが、移動体２５−１の使用エリアとしてセグメント２ｂの作業エリアを選択すると（図６(4)）、移動体２５−１において、再起動処理を実行する。
【００４７】
その際、移動体２５−１では、セグメント２ａを対象としたネットワーク設定を破棄し、セグメント２ｂのＥＳＳ−ＩＤやセグメント２ｂ用の初期ＩＰアドレス（例えば、「192.168.002.100」）をネットワーク設定の初期値に設定して起動する。
【００４８】
次に、上記の初期ＩＰアドレス等を用い、セグメント２ｂのルータ２２ｂを経由して共通サーバ３にアクセスし、セグメント２ｂに関するネットワーク設定情報を要求する（図６(5)）。これに応答して、共通サーバ３では、更新後のセグメント２ｂに関するネットワーク設定情報（図７の３１ｅを参照）を移動体２５−１に向けて送信する（図６(6)）。
【００４９】
移動体２５−１において、ネットワーク設定情報のダウンロードが終了すると、ダウンロードしたネットワーク設定情報に基づいて、セグメント２ａで使用可能な移動体（図７に示す例では、移動体４〜６、１）を表示部に表示し、ユーザに「移動体１」を選択させる（図６(7)）。
【００５０】
その後は、新たな移動体を追加する場合と同様、再起動処理を実行し、セグメント２ｂに合わせたネットワーク設定に書き換える。これにより、移動体２５−１でのネットワーク設定の変更が終了し、以後、セグメント２ｂの作業エリアにおいて、通信処理が可能な状態となる（図６(8)）。
【００５１】
以上のように、本実施の形態においては、共通サーバ３に予めセグメント２ａ〜２ｎ毎にネットワーク設定情報を記録しておき、移動体を新たに追加したり、セグメント間を移動する場合には、共通サーバ３において、ネットワーク設定情報を更新するとともに、移動体において、更新されたネットワーク設定情報を共通サーバ３から取得し、自身のネットワーク設定を自動的に行うように構成されている。
【００５２】
このため、移動体のユーザは、移動体を追加又は移動する際に、自らが手作業でネットワーク設定を行わなくても、簡単な選択作業を行うのみでネットワーク設定を済ませることができる。従って、複数のセグメントを有するネットワーク下であっても、移動体を追加等した際のネットワーク設定の作業を簡易化することができ、作業効率を向上させることが可能になる。
【００５３】
尚、上記実施の形態においては、ネットワークの管理情報（管理データテーブル３１）を共通サーバ３のみによって保有するが、各セグメント２ａ〜２ｎのサーバ２１ａ〜２１ｎに管理データテーブル３１内のネットワーク設定情報を受け渡し、共通サーバ３と各セグメント２ａ〜２ｎのサーバ２１ａ〜２１ｎとの双方でネットワークを管理することもできる。
【００５４】
この場合、管理データテーブル３１内の情報が更新される都度、共通サーバ３から各サーバ２１ａ〜２１ｎにネットワーク設定情報を送信する必要が生じるものの、移動体２５−１〜２５−ｎｘは、サーバ２１ａ〜２１ｎを通じてネットワーク設定情報を取得することができるため、何らかの事情により共通サーバ３にアクセスできなくなっても、追加時や移動時のネットワーク設定の処理作業を進めることができる。
【００５５】
また、上記実施の形態においては、共通サーバ３から移動体にネットワーク設定情報を送信するに際し、移動体の配置先のセグメントに関するネットワーク設定情報のみを送信するが（図５の３１ｂ、図７の３１ｅを参照）、それらのネットワーク設定情報と併せて、他のセグメントに関するネットワーク設定情報を送信してもよい。
【００５６】
この場合、共通サーバ３から移動体に送信するデータ量の増大を招くが、移動体がセグメント間を転々と移動する際、移動体は、共通サーバ３からネットワーク設定情報を逐一受け取らなくても、自身が保有するネットワーク設定情報を用いてネットワーク設定を変更することができる。このため、上記の場合と同様、何らかの事情により共通サーバ３にアクセスできなくなっても、移動時のネットワーク設定の処理作業を進めることができる。
【図面の簡単な説明】
【００５７】
【図１】本発明に係るネットワーク設定システムを適用したネットワーク構成の一例を示す全体構成図である。
【図２】図１の移動体の構成を示す図である。
【図３】図１の管理データテーブルの一例を示す図である。
【図４】新たな移動体を追加したときの動作を説明する図である。
【図５】新たな移動体を追加したときの管理データテーブルの状態を示す図である。
【図６】移動体を移動させたときの動作を説明する図である。
【図７】移動体を移動させたときの管理データテーブルの状態を示す図である。
【符号の説明】
【００５８】
２（２ａ〜２ｎ）  セグメント
３  共通サーバ
２１（２１ａ〜２１ｎ）  エリアサーバ
２２（２２ａ〜２２ｎ）  ルータ
２３（２３ａ〜２３ｎ）、２４（２４ａ〜２４ｎ）  ＡＰ
２５（２５−１〜２５−ｎｘ）  移動体
２６  処理装置
２７  設定ツール
２８  車部
３１  管理データテーブル
３１ａ〜３１ｅ  ネットワーク設定情報
【図１】
2009284239.tif 000003
【図２】
2009284239.tif 000004
【図３】
2009284239.tif 000005
【図４】
2009284239.tif 000006
【図５】
2009284239.tif 000007
【図６】
2009284239.tif 000008
【図７】
2009284239.tif 000009